(57)【要約】【要  約】【課題】フッ化スルフリルを安全・確実に検出する技術を提供する。【解決手段】  検知管本体１１の内部に、アルカリ性物質とｐＨ指示薬と水分を配置する。検知管１１の内部にフッ化スルフリルを含有する試料ガスが流れると、アルカリ性物質の存在下でフッ化スルフリルが加水分解をし、生成されたフッ酸によって検知管本体１１の内部がｐＨ変化する。ｐＨ変化によってｐＨ指示薬が変色すると、変色した部分の長さにより、試料ガス中のフッ化スルフリルの濃度が分かる。【選択図】  図１
2010071895.tif 000002
【特許請求の範囲】
【請求項１】
少なくとも一部が透明な検知管本体と、
前記検知管本体の内部には、アルカリ性物質とｐＨ指示薬が配置され、前記検知管本体内に導入した試料ガス中に含有されるフッ化スルフリルが前記アルカリ性物質と反応し、前記検知管本体内のｐＨ変化によって前記ｐＨ指示薬が変色するように構成されたフッ化スルフリル検知管。
【請求項２】
前記アルカリ性物質には、水酸化ナトリウム、水酸化カリウム、又は水酸化リチウムの化合物のうち、少なくともいずれか一種の化合物が含有された請求項１記載のフッ化スルフリル検知管。
【請求項３】
前記アルカリ性物質と前記ｐＨ指示薬を吸着した多孔質で粒子状の主担体を有する請求項１又は２のいずれか１項記載のフッ化スルフリル検知管。
【請求項４】
前記主担体は、アルミナ粒子、シリカゲル粒子、珪藻土粒子のうちの一種類以上の粒子を含有する請求項３記載のフッ化スルフリル検知管。   
【請求項５】
前記アルカリ性物質と前記ｐＨ指示薬が配置された前記検知管本体内の位置に水が含有された請求項１乃至請求項４のいずれか１項記載のフッ化スルフリル検知管。
【請求項６】
前記検知管本体内で、前記試料ガスが流れる経路の前記アルカリ性物質と前記ｐＨ指示薬が配置された領域よりも上流側に二酸化炭素除去剤が配置された請求項１乃至請求項５のいずれか１項記載のフッ化スルフリル検知管。
【請求項７】
前記二酸化炭素除去剤は、一粒当たりの表面積が前記主担体よりも小さい副担体と、前記副担体に吸着され、二酸化炭素と反応する反応物質とを有する請求項６記載のフッ化スルフリル検知管。
【請求項８】
前記副担体は、ガラス粒子、珪砂のうちのいずれか一種以上の粒子を含有する請求項７記載のフッ化スルフリル検知管。
【請求項９】
前記反応物質として、水酸化ナトリウム、水酸化カリウム、又は水酸化リチウムの化合物のうち、少なくともいずれか一種の化合物が前記副担体に吸着された請求項７乃至９のいずれか１項記載のフッ化スルフリル検知管。
【請求項１０】
補助管と、
前記補助管内に配置された二酸化炭素除去剤とを有し、前記補助管内に導入した試料ガス中に含有される二酸化炭素を、前記補助管内を流れる試料ガスから除去する二酸化炭素除去管と、
前記二酸化炭素除去管と請求項１乃至請求項５のいずれか１項記載のフッ化スルフリル検知管とを接続し、前記二酸化炭素除去管内を流れた試料ガスを前記フッ化スルフリル検知管に導入させる接続管を有し、
前記二酸化炭素除去管内を流れた試料ガス中のフッ化スルフリルを、前記フッ化スルフリル検知管によって測定するフッ化スルフリル検知装置。
【請求項１１】
前記二酸化炭素除去剤は、前記主担体よりも表面積が小さい副担体と、前記副担体に吸着され、二酸化炭素と反応する反応物質とを有する請求項１０記載のフッ化スルフリル検知装置。
【請求項１２】
前記反応物質として、水酸化ナトリウム、水酸化カリウム、又は水酸化リチウムの化合物のうち、少なくともいずれか一種の化合物が前記副担体に吸着された請求項１１記載のフッ化スルフリル検知管。
【請求項１３】
試料ガスをアルカリ性物質とｐＨ指示薬が吸着された主担体の間を流し、前記試料ガス中に含有される水分又は前記主担体に吸着された水分のいずれか一方又は両方の水分と前記試料ガス中に含有されるフッ化スルフリルと反応させ、酸性物質を生成して前記主担体表面のｐＨを酸性方向に移動させ、前記フッ化スルフリルの量に応じた量の前記ｐＨ指示薬を変色させるフッ化スルフリル検出方法。
【請求項１４】
前記主担体の間を流す前に、前記試料ガスを、二酸化炭素除去剤が吸着され、一粒当たりの表面積が前記主担体よりも小さい副担体の間を流す請求項１３記載のフッ化スルフリル検出方法。
【発明の詳細な説明】
【技術分野】
【０００１】
本発明は検知管の技術分野に係り、特に、フッ化スルフリルを検出する検知管に関する。
【背景技術】
【０００２】
輸入・輸出が多い現在に有って、輸入品と共に産出国(生産国)由来の動物(虫)が付着してくる場合がある。
具体的な事例を挙げると、戦後軍需物質と共に「アメリカシロヒトリ」が国内に侵入し、国内繁殖が認められている。このほかには、米に害を与える「ゾウムシ」、柑橘類に打撃を与える「ミバエ」、松を枯死される「マツノザイセンチュウ」、また住宅で問題になる「シロアリ」等々、非常に多くの害虫が国内に入り込んでいる。
【０００３】
このような害虫の被害を防止するために植物防疫法が制定されており、くん蒸による害虫駆除が行されている。
現在、使用されているくん蒸剤は数多く存在するが、シロアリ駆除等々でフッ化スルフリル(スルフリルフルオリド、Pyrolysis sulphuryl fluoride：以下「SF」と略す。販売元：ダウケミカル（株）、商品名：バイケーン(ダウ・アグロサイエンス・エル・エル・シーの登録商標である))が多く使用されるようになった。
【０００４】
またくん蒸では、その効果を確認するため、投薬後濃度を測定しなければならない。測定器としては複数社から販売されているが(JMS社等)、検知管としては一社(DRAGER社) からHF発生管と、分解して生成したHFを測定するHF検出管の二本構成のSF 用検知管が販売されている。
【０００５】
このHF発生管では、管内に酸素ガスと反応して高温になる熱源物質が配置されており、試料ガスを吸引してHF検出管の内部に試料ガスを導入したときに、試料ガス中の酸素が熱源物質と反応し、発生した熱でSFが分解され、HF(フッ化水素)が発生する。
【０００６】
HF検出管の内部には、キナリザリン(quinalizarin CASNo.:81-61-8)がpH指示薬として配置されており、発生したHFとｐH指示薬が化学反応し、HF検出管は、吸引した試料ガス中のSF量に応じた長さだけ桃色に変色する。
【０００７】
HF + zircon/quinalizarin→Pink reaction product
ＳＦのアルカリとの反応については、下記文献に記載されている。
【非特許文献１】”RED Sulfuryl Fluoride. September 1993”，US Environmental Protection Agency ，p17
【発明の開示】
【発明が解決しようとする課題】
【０００８】
しかし、上記のような熱分解反応を用いる場合、検知管(HF発生管)を高温にする必要があるため、やけどの危険があるばかりでなく、検知管をラミネートしているチューブが燃焼したり、爆発危険区域では着火源となる恐れもある。
また、熱分解反応が、温度、湿度(測定雰囲気)に大きく影響を受けるため、測定精度が不安定なほか、検知管を開封したら30 〜 60 秒以内に測定を開始しなければならないという制約もある。
【０００９】
本発明は、上記従来技術の課題を解決し、取り扱いが安全で、安定な測定を行うことができるSF用検知管を提供することを課題とする。
【課題を解決するための手段】
【００１０】
上記課題を解決するため、本発明は、少なくとも一部が透明な検知管本体と、前記検知管本体の内部には、アルカリ性物質とｐＨ指示薬が配置され、前記検知管本体内に導入した試料ガス中に含有されるフッ化スルフリルが前記アルカリ性物質と反応し、前記検知管本体内のｐＨ変化によって前記ｐＨ指示薬が変色するように構成されたフッ化スルフリル検知管である。
また、本発明は、前記アルカリ性物質には、水酸化ナトリウム、水酸化カリウム、又は水酸化リチウムの化合物のうち、少なくともいずれか一種の化合物が含有されたフッ化スルフリル検知管である。
また、本発明は、前記アルカリ性物質と前記ｐＨ指示薬を吸着した多孔質で粒子状の主担体を有するフッ化スルフリル検知管である。
また、本発明は、前記主担体は、アルミナ粒子、シリカゲル粒子、珪藻土粒子のうちの一種類以上の粒子を含有するフッ化スルフリル検知管である。   
また、前記アルカリ性物質と前記ｐＨ指示薬が配置された前記検知管本体内の位置に水が含有されたフッ化スルフリル検知管である。
また、本発明は、前記検知管本体内で、前記試料ガスが流れる経路の前記アルカリ性物質と前記ｐＨ指示薬が配置された領域よりも上流側に二酸化炭素除去剤が配置されたフッ化スルフリル検知管である。
また、本発明は、前記二酸化炭素除去剤は、一粒当たりの表面積が前記主担体よりも小さい副担体と、前記副担体に吸着され、二酸化炭素と反応する反応物質とを有するフッ化スルフリル検知管である。
また、本発明は、前記副担体は、ガラス粒子、珪砂のうちのいずれか一種以上の粒子を含有するフッ化スルフリル検知管である。
また、本発明は、前記反応物質として、水酸化ナトリウム、水酸化カリウム、又は水酸化リチウムの化合物のうち、少なくともいずれか一種の化合物が前記副担体に吸着されたフッ化スルフリル検知管である。
また、本発明は、補助管と、前記補助管内に配置された二酸化炭素除去剤とを有し、前記補助管内に導入した試料ガス中に含有される二酸化炭素を、前記補助管内を流れる試料ガスから除去する二酸化炭素除去管と、前記二酸化炭素除去管と上記いずれかのフッ化スルフリル検知管とを接続し、前記二酸化炭素除去管内を流れた試料ガスを前記フッ化スルフリル検知管に導入させる接続管を有し、前記二酸化炭素除去管内を流れた試料ガス中のフッ化スルフリルを、前記フッ化スルフリル検知管によって測定するフッ化スルフリル検知装置である。
また、本発明は、前記二酸化炭素除去剤は、前記主担体よりも表面積が小さい副担体と、前記副担体に吸着され、二酸化炭素と反応する反応物質とを有するフッ化スルフリル検知装置である。
また、本発明は、前記反応物質として、水酸化ナトリウム、水酸化カリウム、又は水酸化リチウムの化合物のうち、少なくともいずれか一種の化合物が前記副担体に吸着されたフッ化スルフリル検知管である。
また、本発明は、試料ガスをアルカリ性物質とｐＨ指示薬が吸着された主担体の間を流し、前記試料ガス中に含有される水分又は前記主担体に吸着された水分のいずれか一方又は両方の水分と前記試料ガス中に含有されるフッ化スルフリルと反応させ、酸性物質を生成して前記主担体表面のｐＨを酸性方向に移動させ、前記フッ化スルフリルの量に応じた量の前記ｐＨ指示薬を変色させるフッ化スルフリル検出方法である。
また、本発明は、前記主担体の間を流す前に、前記試料ガスを、二酸化炭素除去剤が吸着され、一粒当たりの表面積が前記主担体よりも小さい副担体の間を流すフッ化スルフリル検出方法である。
【００１１】
本発明は上記のように構成されており、フッ化スルフリルが、検知管本体内にある水分や試料ガスに含有される水分と反応し、検知管本体内のｐＨを酸性方向に移動させる。この反応は主担体表面で発生する。
試料ガス中に二酸化炭素のような酸性ガスが含まれていると、酸性ガスによっても主担体表面のｐＨが酸性方向に移動する。
【００１２】
試料ガス中のフッ化スルフリルの濃度が小さく、試料ガスに二酸化炭素ガスが含まれていると、二酸化炭素ガスによって主担体表面のｐＨが酸性方向に移動する量を無視することができず、フッ化スルフリルの濃度と二酸化炭素ガスの濃度を加算した濃度をフッ化スルフリルの濃度としてしまう。
【００１３】
そこで一粒当たりの表面積が主担体よりも狭い副担体に二酸化炭素除去剤を吸着させておき、試料ガスを、アルカリ性物質とｐＨ指示薬が吸着された主担体の間を通す前に副担体の間を通し、二酸化炭素を除去すると、主担体の変色量により、フッ化スルフリルの濃度を正確に測定することができる。
【００１４】
二酸化炭素除去剤に、主担体に吸着させたアルカリ性物質と同じ物質を用いることができ、副担体の一粒当たりの面積を主担体よりも小さいものを用いることで、副担体ではフッ化スルフリルが加水分解しないようにすることができる。
【発明の効果】
【００１５】
本発明の反応原理は加水分解反応であるので、高熱を発生させる必要がなく、安全である。高熱を必要としないので、可燃物がある環境でも着火源となることはない。検知管本体の温度は高熱にならないので、検知管本体を樹脂フィルムで巻き回しても、発煙したり、フィルムが溶融することはない。
【００１６】
また、検知管を、HF発生管とHF検出管に分けなくてもよい。
また、反応原理が湿度、温度に対して過敏ではないので、測定の安定性が高い。従って、検知管の端部を切断してから測定を終了させるまでの時間を長くすることができる。
【発明を実施するための最良の形態】
【００１７】
SFの分解反応には、上記のような熱分解反応の他、次のような加水分解反応が知られている。
【００１８】
ＳＯ2Ｆ2(sulphuryl fluoride)＋Ｈ2Ｏ  →  ＨＳＯ3Ｆ＋ＨＦ(酸性物質)
この加水分解は、ＳＦの販売元から発行されているMSDS にも掲載されているが、加水分解速度は非常にゆっくりである。
【００１９】
水をアルカリ性にした場合、SFの加水分解反応は急激に進行することが知られているが、フッ化スルフリル検知管の内部にアルカリ性物質を封入し、フッ化スルフリル検知管の入り口側からSF含有ガスを導入した場合、アルカリ性物質に付随して一緒に封入された水や、又は試料ガスに含まれる水によって、フッ化スルフリルが加水分解反応し、ＨＦとＨＳＯ3Ｆが発生すると両方とも酸性物質であるから中和反応によってアルカリ性物質が消費され、ｐHが中性側又は酸性側にシフトし、その部分の反応速度が遅くなり、生成した酸性物質の発生位置がフッ化スルフリル検知管の入り口側から出口方向に移動する。
【００２０】
即ち、加水分解により生成される酸性物質をアルカリ性物質と中和反応し、pH指示薬を変色させることで、SFを検知することが出来る。
この場合、フッ化スルフリル検知管内部に水を十分に配置し、アルカリ性物質の含有量を均一にしておけば、HFの発生によってpHがシフトする位置が移動した場合に、その移動距離は、試料ガス中に含まれるSFガスの濃度に依存する。
【００２１】
従って、フッ化スルフリル検知管内部に、水とアルカリ性物質とｐH指示薬を封入しておき、その内部に試料ガスを流すと、下記(１)式、
【００２２】
ＳＯ2Ｆ2＋Ｈ2Ｏ＋アルカリ性物質  →  ＨＳＯ3Ｆ＋ＨＦ+アルカリ性物質……(１)
の化学反応により、フッ化スルフリル検知管の試料ガス流入口側からｐHが変化し、内部に導入されたSFの量に応じた長さだけｐH指示薬が変色する。
【００２３】
SFの量と変色部分の長さとを対応づけておき、一定量の体積の試料ガスを導入すると、変色部分の長さから試料ガス中のSF濃度を求めることができる。
アルカリ性物質とｐＨ指示薬が溶解された水溶液に、アルミナ等の微粒子であって、多孔質の主担体を浸漬させて乾燥させると、アルカリ性物質、ｐＨ指示薬が担持される。この場合、測定に必要な水分を担持していれば、フッ化スルフリル検知管内に水分を注入する必要はない。
【００２４】
また、フッ化スルフリル検知管内に水分が存在していなくとも、試料ガス中に水分が含まれている場合は、その水分によりＳＦは加水分解されるため、フッ化スルフリル検知管内には水分が含まれている必要性はない。
【実施例】
【００２５】
図１(ａ)は、本発明の第一例、第二例のフッ化スルフリル検知管１０、２０の外観図、同図(ｂ)は、第一例の断面図である。
同図（ａ)、(ｂ)を参照し、第一例のフッ化スルフリル検知管１０は、ガラスチューブから成る検知管本体１１を有している。検知管本体１１の内部には、検知管本体１１の中央に位置し、内径が一定値である部分から成る変色領域に検知剤１２が充填されている。
【００２６】
検知管本体１１内部の検知剤１２の両側位置には、テフロン（登録商標）繊維等から成り、通気性を有する栓体１３が配置されており、検知剤１２が検知管本体１１の内部で移動しないようにされている。符号１４は、セラミック粉末であり、検知剤１２と栓体１３とが接触しないように、検知剤１２と栓体１３の間に配置されている。
【００２７】
検知剤１２は、アルカリ性物質(ここではＫＯＨを用いた。)とｐＨ指示薬(ここではチタンエローを用いた。)を水に溶解させ、その水溶液中に多孔質の粉体(ここではアルミナの粉末粒子を用いた)を浸漬し、水分含有率が１０ｗｔ％以上になるように乾燥して得られる。
【００２８】
検知管本体１１の両端を栓１３よりも端の位置で切断して両端に開口を形成し、一方の開口を入り口側、他方の開口を出口側として、入り口側から検知管本体１１の内部にSFを含有する試料ガスを導入すると、導入された試料ガス中のＳＦガスと、検知剤１２中の水分及びアルカリ性物質とが上記(１)式の化学反応をし、変色領域内の検知剤１２が、入り口側から出口側に向かって変色する。
【００２９】
変色領域の内径は一定値であり、アルカリ性物質は均一な濃度で配置されているから、変色した部分の長さは検知管本体１１に導入されたＳＦの量に比例している。したがって、予め変色部分の長さとSFガスの量とを対応づけておき、試料ガスを一定量導入し、変色した部分の長さを測定すれば、試料ガス中のSFの濃度を求めることができる。
【００３０】
このフッ化スルフリル検知管１０には、検知管本体１１には目盛１８が設けられており、変色した領域と変色していない領域の境界にある目盛１８の数字を読むことで、長さがわかるようになっている(目盛の数値の小さい方が入口側)。
【００３１】
上記実施例で用いたアルカリ性物質は水酸化カリウムであったが、水酸化カリウムと同様のアルカリ性を有するアルカリ性物質であれば用いることができる。たとえば、水酸化ナトリウムや水酸化リチウム、ヒドラジン、アンモニア、アミンが使用可能である。
【００３２】
上記実施例では、ｐH指示薬にチタンエロー(ＳＦガスを検知するとピンク色が黄色に変色する)が用いられたが、それに限定されるものではなく、酸性物質の生成によるｐＨの酸性側への移動を検知できればよい。たとえばアリザニンエローを検知剤１２に含有させると、ＳＦガスの反応により、薄い紫色が黄色に変色する。
【００３３】
ヒドラジンの場合、SFとの反応生成物が酸性であり、検知管内部のSFと反応した部分はアルカリ性から酸性に変質するため、アルカリ又は中性から酸性にpHが変化したときに変色するクリスタルバイオレット等のｐH指示薬を用いることができる。
【００３４】
なお、上記実施例では、アルカリ性物質と水と指示薬を付着させる主担体に粉体粒子を用いたが、粉体粒子ではなく、繊維状物質を用いることができる。主担体はアルミナ粒子に限定されるものではなく、SFやHFと反応しない物質で構成されている不活性な多孔質粒子(シリカゲルの粒子や珪藻土の粒子等)を広く用いることができる。
【００３５】
試料ガス中に酸性ガスが含まれている場合、主担体に吸着されているアルカリ性物質と反応し、フッ化スルフリルと同様に検知管本体１１内のｐＨを酸性方向に移動させる。
【００３６】
上記実施例では、試料ガス中の酸性ガスの濃度が、試料ガス中のフッ化スルフリルの濃度に比べて大幅に小さく、酸性ガスとアルカリ性物質の反応を無視できる場合であった。
【００３７】
それに対し、低濃度のフッ化スルフリルを検出するために、低濃度のフッ化スルフリルでもｐＨ指示薬が反応するように検知剤が構成されている場合や、試料ガス中の酸性ガスの濃度が、フッ化スルフリルの濃度に対して大きい場合は、酸性ガスとアルカリ性物質の反応を無視することができない。
【００３８】
二酸化炭素ガスは酸性ガスであり、空気中に３５０ｐｐｍ〜５００ｐｐｍ含有されている。空気にフッ化スルフリルが含有された試料ガスを測定する場合、フッ化スルフリルが１％以上含有されていて、高濃度のフッ化スルフリルを検出するように検知剤が構成されていれば、二酸化炭素ガスの存在を無視することができる。
【００３９】
しかし、空気に１０ppm〜１００ppm程度のフッ化スルフリルが含有された試料ガス中のフッ化スルフリルを検出する場合は、低濃度のフッ化スルフリルを検出するように検知剤が構成されるため、フッ化スルフリルと同程度の濃度の二酸化炭素によってもｐＨ指示薬が変色してしまう。
【００４０】
図４は、横軸がフッ化スルフリル濃度、縦軸が低濃度用のフッ化スルフリル検知管の変色長であり、符号Ｐは、５００ｐｐｍの二酸化炭素ガスを含む試料ガスが二酸化炭素除去剤中を通過せずに、低濃度用のフッ化スルフリル検知管に導入された場合の変色長であり、１３ｍｍであった。
【００４１】
符号Ｑの折線は、二酸化炭素濃度がゼロの場合のフッ化スルフリル濃度と変色長の関係である。二酸化炭素濃度が５００ｐｐｍ含まれる場合のフッ化スルフリル濃度と変色長の関係は、折線Ｑの変色長に１３ｍｍ加算した値になる。
【００４２】
このように、低濃度用のフッ化スルフリル検知管は二酸化炭素の影響を受けるため、下記実施例のように、二酸化炭素ガスを除去した試料ガス中のフッ化スルフリルを検知することが望ましい。
【００４３】
図１(ｃ)に示した第二例のフッ化スルフリル検知管２０は、検知剤１２と検知管本体１１の、試料ガスの入口側との間(ここでは、検知剤１２とセラミック粉末１４の間)に二酸化炭素除去剤１５が配置されている。他の部分は第一例のフッ化スルフリル検知管１０と同じ構造であり、同じ部分には同じ符号を付して説明を省略する。
【００４４】
二酸化炭素除去剤１５は、一粒当たり、主担体よりも表面積が小さな副担体と、副担体に吸着され、二酸化炭素と反応する反応物質とで構成されている。反応物質は、フッ化スルフリルを検知するために主担体に吸着させたアルカリ性物質と同じ化学物質を用いることができる。
【００４５】
主担体は、アルミナ粒子、シリカゲル粒子、珪藻土粒子等の表面積の大きな粒子をもちいるが、副担体は、フッ化スルフリルを反応物質と反応させないようにするため、ガラスを粉砕したガラス粒子や珪砂の粒子など、表面積の小さな粒子を用いる。
【００４６】
上記フッ化スルフリル検知管２０では、検知管本体１１の入口側の端部と出口側の端部を切断し、入口側から試料ガスを導入すると、試料ガスは二酸化炭素除去剤の間を通って二酸化炭素が除去された後、検知剤１２に到達するから、フッ化スルフリルの測定に二酸化炭素の影響が無くなる。
二酸化炭素除去剤は、フッ化スルフリル検知管の検知管本体とは別の管に配置し、二酸化炭素除去管を構成してもよい。
【００４７】
図２(ａ)は、そのような二酸化炭素除去管３０の外観であり、同図(ｂ)は断面図である。
ガラスで構成された補助管３１の内部に、上記と同じ構成の二酸化炭素除去剤３５が配置され、補助管３１内部の両端にテフロン（登録商標）繊維等から成り、通気性を有する栓体３３が配置されており、二酸化炭素除去剤３５が補助管３１の内部に維持されるように構成されている。
【００４８】
試料ガスが、この二酸化炭素除去管３０の内部を通過すると、二酸化炭素が除去され、フッ化スルフリルは除去されないので、二酸化炭素除去管３０を通過した試料ガスを、上記第一例のフッ化スルフリル検知管１０内に導入し、フッ化スルフリルを測定することができる。
【００４９】
図３の符号４０は、第三例の本発明のフッ化スルフリル検知装置である。
このフッ化スルフリル検知装置４０は、第一例のフッ化スルフリル検知管１０と二酸化炭素除去管３０と、接続管４１を有している。
【００５０】
ここでは、フッ化スルフリル検知管１０の両端部と二酸化炭素除去管３０の両端部は切断されており、二酸化炭素除去管３０の出口側の端部とフッ化スルフリル検知管１０の入口側の端部は接続管４１で接続されている。
【００５１】
二酸化炭素除去管３０の内部を通過した試料ガスは、接続管４１の内部を通り、フッ化スルフリル検知管１０の入口側から内部に導入される。フッ化スルフリル検知管１０内部を入口側から出口側に通過すると二酸化炭素の影響が無くフッ化スルフリルの濃度に応じて検知剤が変色し、目盛１８によって試料ガス中のフッ化スルフリルの濃度が分かるようにされている。
第一例のフッ化スルフリル検知管１０ではなく、第二例のフッ化スルフリル検知管２０を二酸化炭素除去管３０に接続してもよい。
【００５２】
次に、主担体として用いることができる粒子と副担体として用いることができる粒子について説明する。
ＫＯＨを吸着させたアルミナ粒子と、ＫＯＨを吸着させた珪砂粒子のフッ化スルフリルと二酸化炭素の反応を下記表１に示す。
【００５３】
【表１】
2010071895.tif 000003
【００５４】
このように、珪砂粒子ではフッ化スルフリルは除去されないので二酸化炭素除去剤の副担体として用いることができ、アルミナは、フッ化スルフリルと反応するので主担体として用いることができることが分かる。珪砂の直径は、２５０μｍ〜３５０μｍであり、比表面積は０．０５ｍ2／ｇ〜０．１５ｍ2／ｇである。
【００５５】
下記に、高濃度用フッ化スルフリル検知管と、低濃度用フッ化スルフリル検知管と、二酸化炭素除去管の作成方法の実施例を記載しておく。
【００５６】
＜高濃度用フッ化スルフリル検知管＞
メタノール溶剤３００ｍｌの中にチタンイエロー０．８ｇを加えて溶解させた。また、水４００ｍｌに水酸化カリウム２００ｇを加えて溶解させた。これらの溶液を６０〜１００メッシュの粒径のアルミナ２０００ｇに添加し、８０℃の湯浴中で溶剤を完全に真空除去してフッ化スルフリルに対する検知剤を製造した。この検知剤を内径が３．５〜３．６ｍｍのガラス管から成る検知管本体に封入して、高濃度のフッ化スルフリルを検出できるフッ化スルフリル検知管を作成した。
【００５７】
＜低濃度用フッ化スルフリル検知管＞
水９００ｍｌ中にアリザリンイエローＲ(Alizarin yellow R)を０．４ｇ及び水酸化カリウム７ｇを加えて溶解させた。これを、６０〜１０メッシュの粒径のアルミナ２０００ｇに添加し、８０℃の湯浴中で溶剤を完全に真空除去してフッ化スルフリルに対する検知剤を製造した。この検知剤を内径が２．５〜２．６ｍｍのガラス管から成る検知管本体に封入して、低濃度のフッ化スルフリルを検出できるフッ化スルフリル検知管を作成した。
【００５８】
＜二酸化炭素除去管＞
水１５０ｍｌ中に水酸化カリウム３００ｇを加えて溶解させた。これを、４０〜６０メッシュの粒径の珪砂１７００ｇに添加し、２５０℃のマントルヒーター中で水分を完全に蒸発させて二酸化炭素の除去剤を製造した。この検知剤を内径が２．９〜３．０ｍｍのガラス管から成る補助管に封入して、二酸化炭素除去管を作成した。
【００５９】
＜検知管本体と補助管＞
なお、検知管本体１１は、ガラス製に限定されるものではなく、SFやHFと反応せず、少なくとも一部が透明であって内部に配置されたpH 指示薬の変色を確認でき、細長く形成され、両端を切断できるものであればよい。また、補助管３１もガラス製に限定されるものではなく、SFと反応せず、細長く形成され、両端を切断できるものであればよい。
【図面の簡単な説明】
【００６０】
【図１】(ａ)：本発明の第一例と第二例のフッ化スルフリル検知管の外観図    (ｂ)：第一例のフッ化スルフリル検知管の内部を説明するための断面図  (ｃ)：第二例のフッ化スルフリル検知管の内部を説明するための断面図
【図２】(ａ)：二酸化炭素除去管の外観図  (ｂ)：その断面図
【図３】フッ化スルフリル検知装置の外観図
【図４】フッ化スルフリル濃度及び二酸化炭素濃度と検知剤の変色長関係を示すグラフ
【符号の説明】
【００６１】
１０、２０……フッ化スルフリル検知管
１１……検知管本体
１２……検知剤
１５、３５……二酸化炭素除去剤
３０……二酸化炭素除去管
３１……補助管
４０……フッ化スルフリル検知装置
４１……接続管
【図１】
2010071895.tif 000004
【図２】
2010071895.tif 000005
【図３】
2010071895.tif 000006
【図４】
2010071895.tif 000007